(57)【特許請求の範囲】
【請求項１】
移動管理手順開始方法であって、
デバイスによってコアネットワークエンティティに対して開始される移動管理手順の失敗の数Nが第１の閾値以上であるとき、前記デバイスによって、N個の失敗情報が、無線リソース制御接続を確立することにおける失敗を示すために使用される第１の情報を含むかどうかを決定するステップであって、前記第１の閾値は0よりも大きい整数であり、Nは0よりも大きい整数であり、前記N個の失敗情報は、前記デバイスによって前記コアネットワークエンティティに対して開始される前記移動管理手順の前記Nの失敗から取得される失敗情報であり、前記デバイスによって失敗タイプを識別するために使用される、ステップと、
前記デバイスが、前記N個の失敗情報が前記第１の情報を含むと決定したとき、前記デバイスによって、前記移動管理手順を開始するための開始条件パラメータを設定するステップと、
前記デバイスによって、前記開始条件パラメータに基づいて、前記移動管理手順を開始するステップとを含み、
前記デバイスによって、前記移動管理手順を開始するための開始条件パラメータを設定する前記ステップは、
前記デバイスによって、タイマーの事前に設定された持続時間を、前記事前に設定された持続時間よりも短い第１の持続時間に調整するステップであって、前記タイマーは、開始された前記移動管理手順の失敗の前記数Nが前記第１の閾値以上であるときに開始されるように使用される、ステップを含み、且つ、
前記デバイスによって、前記開始条件パラメータに基づいて、前記移動管理手順を開始する前記ステップは、
前記デバイスによって、前記タイマーが前記第１の持続時間を超過するときに、前記移動管理手順を開始するステップを含む、方法。
【請求項２】
前記デバイスによって、タイマーの事前に設定された持続時間を、前記事前に設定された持続時間よりも短い第１の持続時間に調整する前記ステップの前に、前記方法は、
前記デバイスが、前記N個の失敗情報が前記第１の情報を含むと決定したとき、リスニングによって現在検出されている全てのセルが属する移動管理領域が、前記デバイスが現在登録されている移動管理領域と同じであるかどうかを決定し、且つ、リスニングによって現在検出されている全ての前記セルが属する前記移動管理領域が、前記デバイスが現在登録されている前記移動管理領域と同じである場合には、前記デバイスによって、タイマーの事前に設定された持続時間を、前記事前に設定された持続時間よりも短い第１の持続時間に調整する前記ステップをトリガするステップか、または、
前記デバイスが、前記N個の失敗情報が前記第１の情報を含むと決定したとき、リスニングによって現在検出されている全てのセルが属する移動管理領域が、前記デバイスが現在登録されている移動管理領域のリスト内にあるかどうかを決定し、且つ、リスニングによって現在検出されている全ての前記セルが属する前記移動管理領域が、前記デバイスが現在登録されている移動管理領域の前記リスト内にある場合には、前記デバイスによって、タイマーの事前に設定された持続時間を、前記事前に設定された持続時間よりも短い第１の持続時間に調整する前記ステップをトリガするステップをさらに含む、請求項１に記載の方法。
【請求項３】
前記デバイスによって、前記移動管理手順を開始するための開始条件パラメータを設定する前記ステップは、
前記デバイスによって、前記デバイスが現在登録されている第１の移動管理領域において、前記移動管理手順の開始を禁止するために使用される開始条件パラメータを設定するステップか、または、
前記デバイスによって、前記デバイスが現在登録されている移動管理領域のリストにおける移動管理領域において、前記移動管理手順の開始を禁止するために使用される開始条件パラメータを設定するステップを含み、且つ、
前記デバイスによって、前記開始条件パラメータに基づいて、前記移動管理手順を開始する前記ステップは、
前記デバイスによって、前記開始条件パラメータに従って、セル再選択手順を実行して、前記デバイスが第２の移動管理領域に属するセルを選択したとき、前記コアネットワークエンティティに対して前記移動管理手順を開始するステップを含み、
前記第２の移動管理領域は、前記移動管理手順の開始が許可されている移動管理領域である、請求項１に記載の方法。
【請求項４】
前記デバイスによって、前記デバイスが現在登録されている第１の移動管理領域において、前記移動管理手順の開始を禁止するために使用される開始条件パラメータを設定する前記ステップは、
前記デバイスによって、リスニングによって現在検出されているセル内にターゲットセルが存在するかどうかを決定し、且つ、リスニングによって現在検出されている前記セル内に前記ターゲットセルが存在する場合には、前記第１の移動管理領域において、前記移動管理手順の前記開始を禁止するために使用される前記開始条件パラメータを設定するステップであって、前記ターゲットセルが属する移動管理領域は前記第１の移動管理領域ではなく、且つ、前記ターゲットセルはセル選択条件を満たす、ステップを含む、請求項３に記載の方法。
【請求項５】
前記デバイスによって、前記デバイスが現在登録されている移動管理領域のリストにおける移動管理領域において、前記移動管理手順の開始を禁止するために使用される開始条件パラメータを設定する前記ステップは、
前記デバイスによって、リスニングによって現在検出されているセル内にターゲットセルが存在するかどうかを決定し、且つ、リスニングによって現在検出されている前記セル内に前記ターゲットセルが存在する場合には、移動管理領域の前記リストにおける前記移動管理領域において、前記移動管理手順の前記開始を禁止するために使用される前記開始条件パラメータを設定するステップであって、前記ターゲットセルが属する移動管理領域は、前記デバイスが現在登録されている移動管理領域の前記リスト内になく、且つ、前記ターゲットセルはセル選択条件を満たす、ステップを含む、請求項３に記載の方法。
【請求項６】
前記デバイスによって、前記移動管理手順を開始するための開始条件パラメータを設定する前記ステップは、
前記デバイスによって、タイマーの事前に設定された持続時間を、前記事前に設定された持続時間よりも短い第１の持続時間に調整して、前記デバイスが現在登録されている第１の移動管理領域において、前記移動管理手順の開始を禁止するために使用される開始条件パラメータを設定するステップであって、前記タイマーは、開始された前記移動管理手順の失敗の前記数Nが前記第１の閾値以上であるときに開始されるように使用される、ステップか、または、
前記デバイスによって、タイマーの事前に設定された持続時間を、前記事前に設定された持続時間よりも短い第１の持続時間に調整して、前記デバイスが現在登録されている移動管理領域のリストにおける移動管理領域において、前記移動管理手順の開始を禁止するために使用される開始条件パラメータを設定するステップであって、前記タイマーは、開始された前記移動管理手順の失敗の前記数Nが前記第１の閾値以上であるときに開始されるように使用される、ステップを含み、且つ、
前記デバイスによって、前記開始条件パラメータに基づいて、前記移動管理手順を開始する前記ステップは、
前記デバイスによって、前記開始条件パラメータに従って、セル再選択手順を実行するステップと、
前記デバイスが第２の移動管理領域に属するセルを選択したとき、前記デバイスによって、前記タイマーを停止して、前記コアネットワークエンティティに対して、前記移動管理手順を開始するステップとを含み、
前記第２の移動管理領域は、前記移動管理手順の開始が許可されている移動管理領域である、請求項１に記載の方法。
【請求項７】
前記デバイスによって、N個の失敗情報が、無線リソース制御接続を確立することにおける失敗を示すために使用される第１の情報を含むかどうかを決定する前記ステップは、
前記デバイスによって、前記N個の失敗情報に含まれる第１の情報の数が、第２の閾値以上であるかどうかを決定するステップであって、前記第２の閾値は、前記第１の閾値以下である正の整数である、ステップか、または、
前記デバイスによって、前記N個の失敗情報の最後の失敗情報が前記第１の情報であるかどうかを決定するステップを含む、請求項１に記載の方法。
【請求項８】
前記デバイスによって、前記デバイスが現在登録されている第１の移動管理領域において、前記移動管理手順の開始を禁止するために使用される開始条件パラメータを設定する前記ステップは、
前記デバイスによって、前記デバイスが現在登録されている前記第１の移動管理領域の識別情報を禁止リストに追加するステップを含み、
前記禁止リストは、前記移動管理手順の前記開始が禁止されている移動管理領域を記録するために使用され、且つ、前記第２の移動管理領域の識別情報は前記禁止リスト内に記録されない、請求項３乃至５のいずれか１項に記載の方法。
【請求項９】
前記デバイスによって、前記デバイスが現在登録されている移動管理領域のリストにおける移動管理領域において、前記移動管理手順の開始を禁止するために使用される開始条件パラメータを設定する前記ステップは、
前記デバイスによって、前記デバイスが現在登録されている移動管理領域の前記リストにおける前記移動管理領域の識別情報を禁止リストに追加するステップを含み、
前記禁止リストは、前記移動管理手順の前記開始が禁止されている移動管理領域を記録するために使用され、且つ、前記第２の移動管理領域の識別情報は、前記禁止リスト内に記録されない、請求項３乃至５のいずれか１項に記載の方法。
【請求項１０】
前記デバイスによって、前記開始条件パラメータに基づいて、前記移動管理手順を開始する前記ステップの後、前記方法は、
前記デバイスによって、前記第１の移動管理領域の前記識別情報を前記禁止リストから削除するステップをさらに含む、請求項８に記載の方法。
【請求項１１】
前記デバイスによって、前記開始条件パラメータに基づいて、前記移動管理手順を開始する前記ステップの後、前記方法は、
前記デバイスによって、移動管理領域の前記リストにおける前記移動管理領域の前記識別情報を前記禁止リストから削除するステップをさらに含む、請求項９に記載の方法。
【請求項１２】
決定ユニット、設定ユニットおよび開始ユニットを含むデバイスであって、
前記決定ユニットは、前記デバイスによってコアネットワークエンティティに対して開始される移動管理手順の失敗の数Nが第１の閾値以上であるとき、N個の失敗情報が、無線リソース制御接続を確立することにおける失敗を示すために使用される第１の情報を含むかどうかを決定するように構成され、前記第１の閾値は0よりも大きい整数であり、Nは0よりも大きい整数であり、前記N個の失敗情報は、前記デバイスによって前記コアネットワークエンティティに対して開始される前記移動管理手順の前記Nの失敗から取得される失敗情報であり、前記デバイスによって失敗タイプを識別するために使用され、
前記設定ユニットは、前記決定ユニットが、前記N個の失敗情報が前記第１の情報を含むと決定したとき、前記移動管理手順を開始するための開始条件パラメータを設定するように構成され、
前記開始ユニットは、前記開始条件パラメータに基づいて、前記移動管理手順を開始するように構成され、
前記設定ユニットは、前記決定ユニットが、前記N個の失敗情報が前記第１の情報を含むと決定したとき、タイマーの事前に設定された持続時間を、前記事前に設定された持続時間よりも短い第１の持続時間に調整するようにさらに構成され、前記タイマーは、開始された前記移動管理手順の失敗の前記数Nが前記第１の閾値以上であるときに開始されるように使用され、且つ、
前記開始ユニットは、前記タイマーが前記第１の持続時間を超過するときに、前記移動管理手順を開始するようにさらに構成される、デバイス。
【請求項１３】
前記デバイスは、
前記決定ユニットが、前記N個の失敗情報が前記第１の情報を含むと決定したとき、リスニングによって現在検出されている全てのセルが属する移動管理領域が、前記デバイスが現在登録されている移動管理領域と同じであるかどうかを決定し、且つ、決定結果が、リスニングによって現在検出されている全ての前記セルが属する前記移動管理領域が、前記デバイスが現在登録されている前記移動管理領域と同じであることである場合には、前記タイマーの前記事前に設定された持続時間を、前記事前に設定された持続時間よりも短い前記第１の持続時間に調整するように前記設定ユニットをトリガするように構成される第１の判定ユニットか、または、
前記決定ユニットが、前記N個の失敗情報が前記第１の情報を含むと決定したとき、リスニングによって現在検出されている全てのセルが属する移動管理領域が、前記デバイスが現在登録されている移動管理領域のリスト内にあるかどうかを決定し、且つ、決定結果が、リスニングによって現在検出されている全ての前記セルが属する前記移動管理領域が、前記デバイスが現在登録されている移動管理領域の前記リスト内にあることである場合には、前記タイマーの前記事前に設定された持続時間を、前記事前に設定された持続時間よりも短い前記第１の持続時間に調整するように前記設定ユニットをトリガするように構成される第２の判定ユニットをさらに含む、請求項１２に記載のデバイス。
【請求項１４】
前記設定ユニットは、具体的には、前記決定ユニットが、前記N個の失敗情報が前記第１の情報を含むと決定したとき、前記デバイスが現在登録されている第１の移動管理領域において、前記移動管理手順の開始を禁止するために使用される開始条件パラメータを設定するように構成されるか、または、前記設定ユニットは、具体的には、前記決定ユニットが、前記N個の失敗情報が前記第１の情報を含むと決定したとき、前記デバイスが現在登録されている移動管理領域のリストにおける移動管理領域において、前記移動管理手順の開始を禁止するために使用される開始条件パラメータを設定するように構成され、且つ、
前記開始ユニットは、具体的には、前記開始条件パラメータに従って、セル再選択手順を実行して、前記デバイスが第２の移動管理領域に属するセルを選択したとき、前記コアネットワークエンティティに対して前記移動管理手順を開始するように構成され、前記第２の移動管理領域は、前記移動管理手順の開始が許可されている移動管理領域である、請求項１２に記載のデバイス。
【請求項１５】
前記設定ユニットは、前記決定ユニットが、前記N個の失敗情報が前記第１の情報を含むと決定したとき、リスニングによって現在検出されているセル内にターゲットセルが存在するかどうかを決定し、且つ、リスニングによって現在検出されている前記セル内に前記ターゲットセルが存在する場合には、前記第１の移動管理領域において、前記移動管理手順の前記開始を禁止するために使用される前記開始条件パラメータを設定するようにさらに構成され、前記ターゲットセルが属する移動管理領域は前記第１の移動管理領域ではなく、且つ、前記ターゲットセルはセル選択条件を満たし、または、
前記設定ユニットは、前記決定ユニットが、前記N個の失敗情報が前記第１の情報を含むと決定したとき、リスニングによって現在検出されているセル内にターゲットセルが存在するかどうかを決定し、且つ、リスニングによって現在検出されている前記セル内に前記ターゲットセルが存在する場合には、移動管理領域の前記リストにおける前記移動管理領域において、前記移動管理手順の前記開始を禁止するために使用される前記開始条件パラメータを設定するようにさらに構成され、前記ターゲットセルが属する移動管理領域は、前記デバイスが現在登録されている移動管理領域の前記リスト内になく、且つ、前記ターゲットセルはセル選択条件を満たす、請求項１４に記載のデバイス。
【請求項１６】
前記設定ユニットは、具体的には、前記決定ユニットが、前記N個の失敗情報が前記第１の情報を含むと決定したとき、タイマーの事前に設定された持続時間を、前記事前に設定された持続時間よりも短い第１の持続時間に調整して、前記デバイスが現在登録されている第１の移動管理領域において、前記移動管理手順の開始を禁止するために使用される開始条件パラメータを設定するように構成され、前記タイマーは、開始された前記移動管理手順の失敗の前記数Nが前記第１の閾値以上であるときに開始されるように使用され、または、前記設定ユニットは、具体的には、前記決定ユニットが、前記N個の失敗情報が前記第１の情報を含むと決定したとき、タイマーの事前に設定された持続時間を、前記事前に設定された持続時間よりも短い第１の持続時間に調整して、前記デバイスが現在登録されている移動管理領域のリストにおける移動管理領域において、前記移動管理手順の開始を禁止するために使用される開始条件パラメータを設定するように構成され、前記タイマーは、開始された前記移動管理手順の失敗の前記数Nが前記第１の閾値以上であるときに開始されるように使用され、且つ、
前記開始ユニットは、具体的には、前記開始条件パラメータに従って、セル再選択手順を実行し、前記デバイスが第２の移動管理領域に属するセルを選択したとき、前記タイマーを停止して、前記コアネットワークエンティティに対して、前記移動管理手順を開始するように構成され、前記第２の移動管理領域は、前記移動管理手順の開始が許可されている移動管理領域である、請求項１２に記載のデバイス。
【請求項１７】
前記決定ユニットは、具体的には、前記デバイスによって前記コアネットワークエンティティに対して開始される前記移動管理手順の失敗の前記数Nが前記第１の閾値以上であるとき、前記N個の失敗情報に含まれる第１の情報の数が、第２の閾値以上であるかどうかを決定するように構成され、前記第２の閾値は、前記第１の閾値よりも大きくない正の整数であり、または、
前記決定ユニットは、具体的には、前記デバイスによって前記コアネットワークエンティティに対して開始される前記移動管理手順の失敗の前記数Nが前記第１の閾値以上であるとき、前記N個の失敗情報の最後の失敗情報が前記第１の情報であるかどうかを決定するように構成される、請求項１２に記載のデバイス。
【請求項１８】
前記設定ユニットは、前記決定ユニットが、前記N個の失敗情報が前記第１の情報を含むと決定したとき、前記デバイスが現在登録されている前記第１の移動管理領域の識別情報を禁止リストに追加するようにさらに構成され、または、前記設定ユニットは、前記決定ユニットが、前記N個の失敗情報が前記第１の情報を含むと決定したとき、前記デバイスが現在登録されている移動管理領域の前記リストにおける前記移動管理領域の識別情報を、禁止リストに追加するようにさらに構成され、
前記禁止リストは、前記移動管理手順の前記開始が禁止されている移動管理領域を記録するために使用され、且つ、前記第２の移動管理領域の識別情報は前記禁止リスト内に記録されない、請求項１４に記載のデバイス。
【請求項１９】
前記デバイスは、前記第１の移動管理領域の前記識別情報を前記禁止リストから削除するように構成されるか、または、移動管理領域の前記リストにおける前記移動管理領域の前記識別情報を前記禁止リストから削除するように構成される削除ユニットをさらに含む、請求項１８に記載のデバイス。
【請求項２０】
デバイスであって、前記デバイスは、プロセッサ、ネットワークインタフェース、メモリおよび通信バスを含み、前記通信バスは、前記プロセッサ、前記ネットワークインタフェースおよび前記メモリ間の接続および通信を実施するように構成され、前記プロセッサは、請求項１乃至１１のいずれか１項に記載の前記方法を実行するための、前記メモリ内に記憶されるプログラムを実行するように構成される、デバイス。
【請求項２１】
コンピュータに、請求項１乃至１１のいずれか１項に記載の前記方法を実行させる、プログラム。
【請求項２２】
プログラムが記録されているコンピュータ可読記憶媒体であって、前記プログラムは、コンピュータに、請求項１乃至１１のいずれか１項に記載の前記方法を実行させる、コンピュータ可読記憶媒体。
【発明の詳細な説明】
【技術分野】
【０００１】
本発明は通信分野に関し、詳細には、移動管理手順開始方法およびデバイスに関する。
【背景技術】
【０００２】
現在の無線モバイル通信ネットワークでは、ユーザ機器（英語のフルネーム：User Equipment，略してUE）がアイドル（英語：idle）状態にあるとき、ユーザ機器は一般に、移動管理手順を開始して（例えば、ユーザ機器はアタッチ（英語：attach）手順またはトラッキング領域更新（英語のフルネーム：Tracking Area Update，略してTAU）手順を開始する必要がある）、ネットワークにアクセスすることを要求する。移動管理手順を開始することは、以下のステップを含んでよい：
【０００３】
UEは、基地局への無線リソース制御（英語のフルネーム：Radio Resource Control，略してRRC）接続を確立する。RRC接続が確立された後、UEは、基地局を使用することによって、移動管理要求（例えば、attach要求またはTAU要求）をコアネットワークエンティティに送信する。コアネットワークエンティティは、移動管理要求に応答し、その結果、UEはネットワークにアクセスすることができる。ここでのコアネットワークエンティティは、移動管理エンティティ（英語のフルネーム：Mobility Management Entity，略してMME）、サービングGPRSサポートノード（英語のフルネーム：Serving GPRS Support Node，略してSGSN）またはモバイル交換局（英語のフルネーム：Mobile Switching Center，略してMSC）であってよい。
【０００４】
実際の適用においては、失敗のケースは、基地局を使用することによって、UEによってコアネットワークエンティティに対して開始された前述の移動管理手順内に存在する場合があり、且つ、手順が失敗した後、UEは、前述の移動管理手順を開始し続けてよい。しかしながら、連続する失敗の数が特定の閾値（例えば、5回の失敗）を超過したとき、UEは事前に設定されたタイマーを開始してよい。タイマーが事前に設定された持続時間を超過したとき、UEは、前述の移動管理手順を開始し続ける。現在、UEにおけるタイマーの事前に設定された持続時間は通常、比較的長い。例えば、4Gネットワークを使用するいくつかのUEのタイマーT3402の事前に設定された持続時間は12分であり、且つ、2Gまたは3Gネットワークを使用するいくつかのUEのタイマーT3302の事前に設定された持続時間もまた12分である。
【０００５】
前述の技術では、UEによって開始される移動管理手順の連続する失敗の数が特定の閾値を超過したとき、UEは、UEが移動管理手順を再び開始することができる前に、比較的長い時間待つ必要があり、このことは、UEの極度に低いネットワークアクセス速度をもたらすことがわかる。
【発明の概要】
【課題を解決するための手段】
【０００６】
本発明は移動管理手順開始方法およびデバイスを提供し、その結果、デバイスのネットワークアクセス速度は改善されることができる。
【０００７】
第１の態様によると、本発明は移動管理手順開始方法を提供し、方法は、
デバイスによってコアネットワークエンティティに対して開始される移動管理手順の失敗の数Nが第１の閾値以上であるとき、デバイスによって、N個の失敗情報が、無線リソース制御接続を確立することにおける失敗を示すために使用される第１の情報を含むかどうかを決定するステップであって、ここで、第１の閾値は0よりも大きい整数であり、Nは0よりも大きい整数であり、N個の失敗情報は、デバイスによってコアネットワークエンティティに対して開始される移動管理手順のNの失敗から取得される失敗情報である、ステップと、
デバイスが、N個の失敗情報が第１の情報を含むと決定したとき、デバイスによって、移動管理手順を開始するための開始条件パラメータを設定するステップと、
デバイスによって、開始条件パラメータに基づいて、移動管理手順を開始するステップとを含む。
【０００８】
第１の態様の第１の可能な実施方式では、デバイスによって、N個の失敗情報が、無線リソース制御接続を確立することにおける失敗を示すために使用される第１の情報を含むかどうかを決定するステップは、
デバイスによって、N個の失敗情報に含まれる第１の情報の数が、第２の閾値以上であるかどうかを決定するステップであって、ここで、第２の閾値は、第１の閾値よりも大きくない正の整数である、ステップか、または、
デバイスによって、N個の失敗情報の最後の失敗情報が第１の情報であるかどうかを決定するステップを含む。
【０００９】
第１の態様または第１の態様の第１の可能な実施方式を参照すると、デバイスによって、移動管理手順を開始するための開始条件パラメータを設定するステップは、
デバイスによって、タイマーの事前に設定された持続時間を、事前に設定された持続時間よりも短い第１の持続時間に調整するステップであって、ここで、タイマーは、開始された移動管理手順の失敗の数Nが第１の閾値以上であるときに開始されるように使用される、ステップを含み、且つ、
デバイスによって、開始条件パラメータに基づいて、移動管理手順を開始するステップは、
デバイスによって、タイマーが第１の持続時間を超過するときに、移動管理手順を開始するステップを含む。
【００１０】
第１の態様の第２の可能な実施方式を参照すると、第１の態様の第３の可能な実施方式では、デバイスによって、タイマーの事前に設定された持続時間を、事前に設定された持続時間よりも短い第１の持続時間に調整するステップの前に、方法は、
デバイスが、N個の失敗情報が第１の情報を含むと決定したとき、リスニングによって現在検出されている全てのセルが属する移動管理領域が、デバイスが現在登録されている移動管理領域と同じであるかどうかを決定し、且つ、同じである場合には、デバイスによって、タイマーの事前に設定された持続時間を、事前に設定された持続時間よりも短い第１の持続時間に調整するステップをトリガするステップか、または、
デバイスが、N個の失敗情報が第１の情報を含むと決定したとき、リスニングによって現在検出されている全てのセルが属する移動管理領域が、デバイスが現在登録されている移動管理領域のリスト内にあるかどうかを決定し、且つ、リスト内にある場合には、デバイスによって、タイマーの事前に設定された持続時間を、事前に設定された持続時間よりも短い第１の持続時間に調整するステップをトリガするステップをさらに含む。
【００１１】
第１の態様または第１の態様の第１の可能な実施方式を参照すると、第１の態様の第４の可能な実施方式では、デバイスによって、移動管理手順を開始するための開始条件パラメータを設定するステップは、
デバイスによって、デバイスが現在登録されている第１の移動管理領域において、移動管理手順の開始を禁止するために使用される開始条件パラメータを設定するステップか、または、
デバイスによって、デバイスが現在登録されている移動管理領域のリストにおける移動管理領域において、移動管理手順の開始を禁止するために使用される開始条件パラメータを設定するステップを含み、且つ、
デバイスによって、開始条件パラメータに基づいて、移動管理手順を開始するステップは、
デバイスによって、開始条件パラメータに従って、セル再選択手順を実行して、デバイスが第２の移動管理領域に属するセルを選択したとき、コアネットワークエンティティに対して移動管理手順を開始するステップを含み、ここで、
第２の移動管理領域は、移動管理手順の開始が禁止されていない移動管理領域である。
【００１２】
第１の態様の第４の可能な実施方式を参照すると、第１の態様の第５の可能な実施方式では、デバイスによって、デバイスが現在登録されている第１の移動管理領域において、移動管理手順の開始を禁止するために使用される開始条件パラメータを設定するステップは、
デバイスによって、リスニングによって現在検出されているセル内にターゲットセルが存在するかどうかを決定し、且つ、存在する場合には、第１の移動管理領域において、移動管理手順の開始を禁止するために使用される開始条件パラメータを設定するステップであって、ここで、ターゲットセルが属する移動管理領域は第１の移動管理領域ではなく、且つ、ターゲットセルはセル選択条件を満たす、ステップを含む。
【００１３】
第１の態様の第４の可能な実施方式を参照すると、第１の態様の第６の可能な実施方式では、デバイスによって、デバイスが現在登録されている移動管理領域のリストにおける移動管理領域において、移動管理手順の開始を禁止するために使用される開始条件パラメータを設定するステップは、
デバイスによって、リスニングによって現在検出されているセル内にターゲットセルが存在するかどうかを決定し、且つ、存在する場合には、移動管理領域のリストにおける移動管理領域において、移動管理手順の開始を禁止するために使用される開始条件パラメータを設定するステップであって、ここで、ターゲットセルが属する移動管理領域は、デバイスが現在登録されている移動管理領域のリスト内になく、且つ、ターゲットセルはセル選択条件を満たす、ステップを含む。
【００１４】
第1の態様または第１の態様の第１の可能な実施方式を参照すると、第１の態様の第７の可能な実施方式では、デバイスによって、移動管理手順を開始するための開始条件パラメータを設定するステップは、
デバイスによって、タイマーの事前に設定された持続時間を、事前に設定された持続時間よりも短い第１の持続時間に調整して、デバイスが現在登録されている第１の移動管理領域において、移動管理手順の開始を禁止するために使用される開始条件パラメータを設定するステップであって、ここで、タイマーは、開始された移動管理手順の失敗の数Nが第１の閾値以上であるときに開始されるように使用される、ステップか、または、
デバイスによって、タイマーの事前に設定された持続時間を、事前に設定された持続時間よりも短い第１の持続時間に調整して、デバイスが現在登録されている移動管理領域のリストにおける移動管理領域において、移動管理手順の開始を禁止するために使用される開始条件パラメータを設定するステップであって、ここで、タイマーは、開始された移動管理手順の失敗の数Nが第１の閾値以上であるときに開始されるように使用される、ステップを含み、且つ、
デバイスによって、開始条件パラメータに基づいて、移動管理手順を開始するステップは、
デバイスによって、開始条件パラメータに従って、セル再選択手順を実行するステップと、
デバイスが第２の移動管理領域に属するセルを選択したとき、デバイスによって、タイマーを停止して、コアネットワークエンティティに対して、移動管理手順を開始するステップとを含み、ここで、
第２の移動管理領域は、移動管理手順の開始が禁止されていない移動管理領域である。
【００１５】
第１の態様の第４の可能な実施方式または第１の態様の第５の可能な実施方式または第１の態様の第６の可能な実施方式または第１の態様の第７の可能な実施方式を参照すると、第１の態様の第８の可能な実施方式では、デバイスによって、デバイスが現在登録されている第１の移動管理領域において、移動管理手順の開始を禁止するために使用される開始条件パラメータを設定するステップは、
デバイスによって、デバイスが現在登録されている第１の移動管理領域の識別情報を禁止リストに追加するステップを含み、ここで、
禁止リストは、移動管理手順の開始が禁止されている移動管理領域を記録するために使用され、且つ、第２の移動管理領域の識別情報は禁止リスト内に記録されない。
【００１６】
第１の態様の第４の可能な実施方式または第１の態様の第５の可能な実施方式または第１の態様の第６の可能な実施方式または第１の態様の第７の可能な実施方式を参照すると、第１の態様の第９の可能な実施方式では、デバイスによって、デバイスが現在登録されている移動管理領域のリストにおける移動管理領域において、移動管理手順の開始を禁止するために使用される開始条件パラメータを設定するステップは、
デバイスによって、デバイスが現在登録されている移動管理領域のリストにおける移動管理領域の識別情報を禁止リストに追加するステップを含み、ここで、
禁止リストは、移動管理手順の開始が禁止されている移動管理領域を記録するために使用され、且つ、第２の移動管理領域の識別情報は、禁止リスト内に記録されない。
【００１７】
第１の態様の第８の可能な実施方式を参照すると、第１の態様の第１０の可能な実施方式では、デバイスによって、移動管理手順を開始するステップの後、方法は、
デバイスによって、第１の移動管理領域の識別情報を禁止リストから削除するステップをさらに含む。
【００１８】
第１の態様の第９の可能な実施方式を参照すると、第１の態様の第１１の可能な実施方式では、デバイスによって、移動管理手順を開始するステップの後、方法は、
デバイスによって、移動管理領域のリストにおける移動管理領域の識別情報を禁止リストから削除するステップをさらに含む。
【００１９】
第２の態様によると、本発明は、決定ユニット、設定ユニットおよび開始ユニットを含むデバイスを提供し、ここで、
決定ユニットは、デバイスによってコアネットワークエンティティに対して開始される移動管理手順の失敗の数Nが第１の閾値以上であるとき、N個の失敗情報が、無線リソース制御接続を確立することにおける失敗を示すために使用される第１の情報を含むかどうかを決定するように構成され、ここで、第１の閾値は0よりも大きい整数であり、Nは0よりも大きい整数であり、N個の失敗情報は、デバイスによってコアネットワークエンティティに対して開始される移動管理手順のNの失敗から取得される失敗情報であり、
設定ユニットは、決定ユニットが、N個の失敗情報が第１の情報を含むと決定したとき、移動管理手順を開始するための開始条件パラメータを設定するように構成され、
開始ユニットは、開始条件パラメータに基づいて、移動管理手順を開始するように構成される。
【００２０】
第２の態様の第１の可能な実施方式では、決定ユニットは、具体的には、デバイスによってコアネットワークエンティティに対して開始される移動管理手順の失敗の数Nが第１の閾値以上であるとき、N個の失敗情報に含まれる第１の情報の数が、第２の閾値以上であるかどうかを決定するように構成され、ここで、第２の閾値は、第１の閾値よりも大きくない正の整数であり、または、
決定ユニットは、具体的には、デバイスによってコアネットワークエンティティに対して開始される移動管理手順の失敗の数Nが第１の閾値以上であるとき、N個の失敗情報の最後の失敗情報が第１の情報であるかどうかを決定するように構成される。
【００２１】
第２の態様または第２の態様の第１の可能な実施方式を参照すると、第２の態様の第２の可能な実施方式では、設定ユニットは、具体的には、決定ユニットが、N個の失敗情報が第１の情報を含むと決定したとき、タイマーの事前に設定された持続時間を、事前に設定された持続時間よりも短い第１の持続時間に調整するように構成され、ここで、タイマーは、開始された移動管理手順の失敗の数Nが第１の閾値以上であるときに開始されるように使用され、且つ、
開始ユニットは、具体的には、タイマーが第１の持続時間を超過するときに、移動管理手順を開始するように構成される。
【００２２】
第２の態様の第２の可能な実施方式を参照すると、第２の態様の第３の可能な実施方式では、デバイスは、
決定ユニットが、N個の失敗情報が第１の情報を含むと決定したとき、リスニングによって現在検出されている全てのセルが属する移動管理領域が、デバイスが現在登録されている移動管理領域と同じであるかどうかを決定し、且つ、決定結果が肯定である場合には、タイマーの事前に設定された持続時間を、事前に設定された持続時間よりも短い第１の持続時間に調整するように設定ユニットをトリガするように構成される第１の判定ユニットか、または、
決定ユニットが、N個の失敗情報が第１の情報を含むと決定したとき、リスニングによって現在検出されている全てのセルが属する移動管理領域が、デバイスが現在登録されている移動管理領域のリスト内にあるかどうかを決定し、且つ、決定結果が肯定である場合には、タイマーの事前に設定された持続時間を、事前に設定された持続時間よりも短い第１の持続時間に調整するように設定ユニットをトリガするように構成される第２の判定ユニットをさらに含む。
【００２３】
第２の態様または第２の態様の第１の可能な実施方式を参照すると、第２の態様の第４の可能な実施方式では、設定ユニットは、具体的には、決定ユニットが、N個の失敗情報が第１の情報を含むと決定したとき、デバイスが現在登録されている第１の移動管理領域において、移動管理手順の開始を禁止するために使用される開始条件パラメータを設定するように構成されるか、または、設定ユニットは、具体的には、決定ユニットが、N個の失敗情報が第１の情報を含むと決定したとき、デバイスが現在登録されている移動管理領域のリストにおける移動管理領域において、移動管理手順の開始を禁止するために使用される開始条件パラメータを設定するように構成され、且つ、
開始ユニットは、具体的には、開始条件パラメータに従って、セル再選択手順を実行して、デバイスが第２の移動管理領域に属するセルを選択したとき、コアネットワークエンティティに対して移動管理手順を開始するように構成され、ここで、第２の移動管理領域は、移動管理手順の開始が禁止されていない移動管理領域である。
【００２４】
第２の態様の第４の可能な実施方式を参照すると、第２の態様の第５の可能な実施方式では、設定ユニットは、決定ユニットが、N個の失敗情報が第１の情報を含むと決定したとき、リスニングによって現在検出されているセル内にターゲットセルが存在するかどうかを決定し、且つ、存在する場合には、第１の移動管理領域において、移動管理手順の開始を禁止するために使用される開始条件パラメータを設定するようにさらに構成され、ここで、ターゲットセルが属する移動管理領域は第１の移動管理領域ではなく、且つ、ターゲットセルはセル選択条件を満たし、または、
設定ユニットは、決定ユニットが、N個の失敗情報が第１の情報を含むと決定したとき、リスニングによって現在検出されているセル内にターゲットセルが存在するかどうかを決定し、且つ、存在する場合には、移動管理領域のリストにおける移動管理領域において、移動管理手順の開始を禁止するために使用される開始条件パラメータを設定するようにさらに構成され、ここで、ターゲットセルが属する移動管理領域は、デバイスが現在登録されている移動管理領域のリスト内になく、且つ、ターゲットセルはセル選択条件を満たす。
【００２５】
第２の態様または第２の態様の第１の可能な実施方式を参照すると、第２の態様の第６の可能な実施方式では、設定ユニットは、具体的には、決定ユニットが、N個の失敗情報が第１の情報を含むと決定したとき、タイマーの事前に設定された持続時間を、事前に設定された持続時間よりも短い第１の持続時間に調整して、デバイスが現在登録されている第１の移動管理領域において、移動管理手順の開始を禁止するために使用される開始条件パラメータを設定するように構成され、ここで、タイマーは、開始された移動管理手順の失敗の数Nが第１の閾値以上であるときに開始されるように使用され、または、設定ユニットは、具体的には、決定ユニットが、N個の失敗情報が第１の情報を含むと決定したとき、タイマーの事前に設定された持続時間を、事前に設定された持続時間よりも短い第１の持続時間に調整して、デバイスが現在登録されている移動管理領域のリストにおける移動管理領域において、移動管理手順の開始を禁止するために使用される開始条件パラメータを設定するように構成され、ここで、タイマーは、開始された移動管理手順の失敗の数Nが第１の閾値以上であるときに開始されるように使用され、且つ、
開始ユニットは、具体的には、開始条件パラメータに従って、セル再選択手順を実行し、デバイスが第２の移動管理領域に属するセルを選択したとき、タイマーを停止して、コアネットワークエンティティに対して、移動管理手順を開始するように構成され、ここで、第２の移動管理領域は、移動管理手順の開始が禁止されていない移動管理領域である。
【００２６】
第２の態様の第４の可能な実施方式を参照すると、第２の態様の第７の可能な実施方式では、設定ユニットは、決定ユニットが、N個の失敗情報が第１の情報を含むと決定したとき、デバイスが現在登録されている第１の移動管理領域の識別情報を禁止リストに追加するようにさらに構成され、または、設定ユニットは、決定ユニットが、N個の失敗情報が第１の情報を含むと決定したとき、デバイスが現在登録されている移動管理領域のリストにおける移動管理領域において、移動管理手順の開始を禁止するために使用される開始条件パラメータを設定するようにさらに構成され、ここで、
禁止リストは、移動管理手順の開始が禁止されている移動管理領域を記録するために使用され、且つ、第２の移動管理領域の識別情報は禁止リスト内に記録されない。
【００２７】
第２の態様の第７の可能な実施方式を参照すると、第２の態様の第８の可能な実施方式では、装置は、
第１の移動管理領域の識別情報を禁止リストから削除するように構成されるか、または、移動管理領域のリストにおける移動管理領域の識別情報を禁止リストから削除するように構成される削除ユニットをさらに含む。
【００２８】
第３の態様によると、本発明はデバイスを提供し、ここで、デバイスは、プロセッサ、ネットワークインタフェース、メモリおよび通信バスを含み、ここで、通信バスは、プロセッサ、ネットワークインタフェースおよびメモリ間の接続および通信を実施するように構成され、且つ、プロセッサは、メモリ内に記憶されるプログラムを実行するように構成され、プログラムは、
デバイスによってコアネットワークエンティティに対して開始される移動管理手順の失敗の数Nが第１の閾値以上であるとき、N個の失敗情報が、無線リソース制御接続を確立することにおける失敗を示すために使用される第１の情報を含むかどうかを決定することであって、ここで、第１の閾値は0よりも大きい整数であり、Nは0よりも大きい整数であり、N個の失敗情報は、デバイスによってコアネットワークエンティティに対して開始される移動管理手順のNの失敗から取得される失敗情報である、決定することと、
N個の失敗情報が第１の情報を含むと決定されたとき、移動管理手順を開始するための開始条件パラメータを設定することと、
開始条件パラメータに基づいて、移動管理手順を開始することとを含む。
【００２９】
第３の態様の第１の可能な実施方式では、N個の失敗情報が、無線リソース制御接続を確立することにおける失敗を示すために使用される第１の情報を含むかどうかを決定することの、プロセッサによって実行されるプログラムは、
N個の失敗情報に含まれる第１の情報の数が、第２の閾値以上であるかどうかを決定することであって、ここで、第２の閾値は、第１の閾値よりも大きくない正の整数である、決定することか、または、
N個の失敗情報の最後の失敗情報が第１の情報であるかどうかを決定することを含む。
【００３０】
第３の態様または第３の態様の第１の可能な実施方式を参照すると、第３の態様の第２の可能な実施方式では、移動管理手順を開始するための開始条件パラメータを設定することの、プロセッサによって実行されるプログラムは、
タイマーの事前に設定された持続時間を、事前に設定された持続時間よりも短い第１の持続時間に調整することであって、ここで、タイマーは、開始された移動管理手順の失敗の数Nが第１の閾値以上であるときに開始されるように使用される、調整することを含み、且つ、
開始条件パラメータに基づいて、移動管理手順を開始することの、プロセッサによって実行されるプログラムは、
タイマーが第１の持続時間を超過するときに、移動管理手順を開始することを含む。
【００３１】
第３の態様の第２の可能な実施方式を参照すると、第３の態様の第３の可能な実施方式では、プロセッサによって実行されるプログラムは、
N個の失敗情報が第１の情報を含むとき、リスニングによって現在検出されている全てのセルが属する移動管理領域が、デバイスが現在登録されている移動管理領域と同じであるかどうかを決定し、且つ、同じである場合には、デバイスによって、タイマーの事前に設定された持続時間を、事前に設定された持続時間よりも短い第１の持続時間に調整することのプログラムをトリガすることか、または、
N個の失敗情報が第１の情報を含むとき、リスニングによって現在検出されている全てのセルが属する移動管理領域が、デバイスが現在登録されている移動管理領域のリスト内にあるかどうかを決定し、且つ、リスト内にある場合には、デバイスによって、タイマーの事前に設定された持続時間を、事前に設定された持続時間よりも短い第１の持続時間に調整することのプログラムをトリガすることをさらに含む。
【００３２】
第３の態様または第３の態様の第１の可能な実施方式を参照すると、第３の態様の第４の可能な実施方式では、移動管理手順を開始するための開始条件パラメータを設定することの、プロセッサによって実行されるプログラムは、
デバイスが現在登録されている第１の移動管理領域において、移動管理手順の開始を禁止するために使用される開始条件パラメータを設定することか、または、
デバイスが現在登録されている移動管理領域のリストにおける移動管理領域において、移動管理手順の開始を禁止するために使用される開始条件パラメータを設定することを含み、且つ、
開始条件パラメータに基づいて、移動管理手順を開始することの、プロセッサによって実行されるプログラムは、
開始条件パラメータに従って、セル再選択手順を実行して、デバイスが第２の移動管理領域に属するセルを選択したとき、コアネットワークエンティティに対して移動管理手順を開始することを含み、ここで、
第２の移動管理領域は、移動管理手順の開始が禁止されていない移動管理領域である。
【００３３】
第３の態様の第４の可能な実施方式を参照すると、第３の態様の第５の可能な実施方式では、デバイスが現在登録されている第１の移動管理領域において、移動管理手順の開始を禁止するために使用される開始条件パラメータを設定することの、プロセッサによって実行されるプログラムは、
リスニングによって現在検出されているセル内にターゲットセルが存在するかどうかを決定し、且つ、存在する場合には、第１の移動管理領域において、移動管理手順の開始を禁止するために使用される開始条件パラメータを設定することであって、ここで、ターゲットセルが属する移動管理領域は第１の移動管理領域ではなく、且つ、ターゲットセルはセル選択条件を満たす、設定することを含む。
【００３４】
第３の態様の第４の可能な実施方式を参照すると、第３の態様の第６の可能な実施方式では、デバイスが現在登録されている移動管理領域のリストにおける移動管理領域において、移動管理手順の開始を禁止するために使用される開始条件パラメータを設定することの、プロセッサによって実行されるプログラムは、
リスニングによって現在検出されているセル内にターゲットセルが存在するかどうかを決定し、且つ、存在する場合には、移動管理領域のリストにおける移動管理領域において、移動管理手順の開始を禁止するために使用される開始条件パラメータを設定することであって、ここで、ターゲットセルが属する移動管理領域は、デバイスが現在登録されている移動管理領域のリスト内になく、且つ、ターゲットセルはセル選択条件を満たす、設定することを含む。
【００３５】
第３の態様または第３の態様の第１の可能な実施方式を参照すると、第３の態様の第７の可能な実施方式では、移動管理手順を開始するための開始条件パラメータを設定することの、プロセッサによって実行されるプログラムは、
タイマーの事前に設定された持続時間を、事前に設定された持続時間よりも短い第１の持続時間に調整して、デバイスが現在登録されている第１の移動管理領域において、移動管理手順の開始を禁止するために使用される開始条件パラメータを設定することであって、ここで、タイマーは、開始された移動管理手順の失敗の数Nが第１の閾値以上であるときに開始されるように使用される、設定することか、または、
タイマーの事前に設定された持続時間を、事前に設定された持続時間よりも短い第１の持続時間に調整して、デバイスが現在登録されている移動管理領域のリストにおける移動管理領域において、移動管理手順の開始を禁止するために使用される開始条件パラメータを設定することであって、ここで、タイマーは、開始された移動管理手順の失敗の数Nが第１の閾値以上であるときに開始されるように使用される、設定することを含み、且つ、
開始条件パラメータに基づいて、移動管理手順を開始することの、プロセッサによって実行されるプログラムは、
開始条件パラメータに従って、セル再選択手順を実行することと、
第２の移動管理領域に属するセルが選択されたとき、タイマーを停止して、コアネットワークエンティティに対して、移動管理手順を開始することとを含み、ここで、
第２の移動管理領域は、移動管理手順の開始が禁止されていない移動管理領域である。
【００３６】
第３の態様の第５の可能な実施方式または第３の態様の第６の可能な実施方式または第３の態様の第７の可能な実施方式を参照すると、第３の態様の第８の可能な実施方式では、デバイスが現在登録されている第１の移動管理領域において、移動管理手順の開始を禁止するために使用される開始条件パラメータを設定することの、プロセッサによって実行されるプログラムは、
デバイスが現在登録されている第１の移動管理領域の識別情報を禁止リストに追加することを含み、ここで、
禁止リストは、移動管理手順の開始が禁止されている移動管理領域を記録するために使用され、且つ、第２の移動管理領域の識別情報は禁止リスト内に記録されない。
【００３７】
第３の態様の第５の可能な実施方式または第３の態様の第６の可能な実施方式または第３の態様の第７の可能な実施方式を参照すると、第３の態様の第９の可能な実施方式では、デバイスが現在登録されている移動管理領域のリストにおける移動管理領域において、移動管理手順の開始を禁止するために使用される開始条件パラメータを設定することの、プロセッサによって実行されるプログラムは、
デバイスが登録されている移動管理領域のリストにおける移動管理領域の識別情報を禁止リストに追加することを含み、ここで、
禁止リストは、移動管理手順の開始が禁止されている移動管理領域を記録するために使用され、且つ、第２の移動管理領域の識別情報は、禁止リスト内に記録されない。
【００３８】
第３の態様の第８の可能な実施方式を参照すると、第３の態様の第１０の可能な実施方式では、プロセッサによって実行されるプログラムは、
第１の移動管理領域の識別情報を禁止リストから削除することをさらに含む。
【００３９】
第３の態様の第９の可能な実施方式を参照すると、第３の態様の第１１の可能な実施方式では、プロセッサによって実行されるプログラムは、
移動管理領域のリストにおける移動管理領域の識別情報を禁止リストから削除することをさらに含む。
【００４０】
前述の技術的解決手段では、デバイスによってコアネットワークエンティティに対して開始される移動管理手順の失敗の数Nが第１の閾値以上であるとき、デバイスは、N個の失敗情報が、無線リソース制御接続を確立することにおける失敗を示すために使用される第１の情報を含むかどうかを決定し、N個の失敗情報が第１の情報を含むと決定したとき、デバイスは、移動管理手順を開始するための開始条件パラメータを設定し、デバイスは、開始条件パラメータに基づいて、移動管理手順を開始する。移動管理手順がタイミング装置の期限が切れるまで開始されない従来技術と比較すると、本発明では、移動管理手順はより速く開始されることができ、その結果、デバイスのネットワークアクセス速度が改善されることができる。
【図面の簡単な説明】
【００４１】
本発明の実施形態における、または従来技術における技術的解決手段をより明確に説明するために、以下では、実施形態または従来技術を説明するために必要とされる添付図面を簡潔に説明する。明らかに、以下の説明における添付図面は単に、本発明のいくつかの実施形態を示し、且つ、当業者は、創造的努力無しに、これらの添付図面から他の図面をさらに導出することができる。
【００４２】
【図１】図１は、本発明の実施形態に係る、移動管理手順開始方法の概略フローチャートである。
【図２】図２は、本発明の実施形態に係る、別の移動管理手順開始方法の概略フローチャートである。
【図３】図３は、本発明の実施形態に係る、デバイスの概略構成図である。
【図４】図４は、本発明の実施形態に係る、別のデバイスの概略構成図である。
【図５】図５は、本発明の実施形態に係る、別のデバイスの概略構成図である。
【図６】図６は、本発明の実施形態に係る、別のデバイスの概略構成図である。
【図７】図７は、本発明の実施形態に係る、別のデバイスの概略構成図である。
【図８】図８は、本発明の実施形態に係る、別のデバイスの概略構成図である。
【発明を実施するための形態】
【００４３】
発明の実施形態は、添付図面を参照して、以下で説明される。
【００４４】
本発明の実施形態では、移動管理手順は、
現在位置登録手順、セルハンドオーバ手順、呼処理手順、attach手順、TAU手順、ルーティング領域更新（英語のフルネーム：Routing Area Update，略してRAU）手順および位置領域更新（英語のフルネーム：Location Area Update，略してLAU）手順のうちの任意の１つまたは複数を含んでよい。
【００４５】
加えて、本発明の本実施形態では、移動管理手順の開始は、
デバイスが基地局に対してRRC接続を確立するステップと、
RRC接続が確立された後、デバイスは、基地局を使用することによって、コアネットワークエンティティ（例えば、MME、SGSNまたはMSC）に対して移動管理要求（例えば、attach要求またはTAU要求）を送信するとともに、コアネットワークエンティティは、移動管理要求に応答するステップとを含んでよい。
【００４６】
移動管理手順を開始することにおける失敗は、基地局が移動管理要求に応答することを失敗すること、例えば、RRC接続の確立が失敗すること、または、RRC接続が成功裏に確立された後、デバイスがコアネットワークエンティティに移動管理要求を送信することを失敗すること、または、デバイスは、基地局を使用することによってコアネットワークエンティティに移動管理要求を成功裏に送信するが、コアネットワークエンティティは移動管理要求に応答することができないこと、または、デバイスは、基地局を使用することによってコアネットワークエンティティに移動管理要求を成功裏に送信するが、コアネットワークは、エラーを発見するとともに移動管理要求を拒否することを指してよい。
【００４７】
加えて、本発明の本実施形態が適用されるシナリオは、任意の無線通信システム、例えば、2G、3Gまたは4G無線通信システムまたはより高いリリースの無線通信システムであってよい。
【００４８】
図１を参照すると、図１は、本発明の実施形態に係る、移動管理手順開始方法の概略フローチャートである。図１に示されるように、方法は以下のステップを含む：
【００４９】
１０１．デバイスによってコアネットワークエンティティに対して開始される移動管理手順の失敗の数Nが第１の閾値以上であるとき、デバイスは、N個の失敗情報が、無線リソース制御接続を確立することにおける失敗を示すために使用される第１の情報を含むかどうかを決定し、ここで、第１の閾値は0よりも大きい整数であり、Nは0よりも大きい整数であり、N個の失敗情報は、デバイスによってコアネットワークエンティティに対して開始される移動管理手順のNの失敗から取得される失敗情報である。
【００５０】
本明細書において関係する失敗情報および第１の情報は、１つ以上の数字を含んでよく、または、１つ以上の文字を含んでよく、または、１つ以上の数字および文字を含んでよく、且つ、確実に、他の方式で形成されてよく、このことは本明細書では限定されない。
【００５１】
任意で、前述の第１の情報はまた、事前に設定された特定のRRCの失敗、例えば、アップリンクデータ構成の失敗、ランダムアクセスの失敗またはRRC接続確立の失敗を示してもよい。
【００５２】
任意で、デバイスは、開始された移動管理手順の失敗の数Nが第１の閾値以上であるときに開始されるように使用されるタイマーを事前に設定する。このようにして、デバイスがN個の失敗情報が第１の情報を含まないと決定したとき、移動管理手順は、タイマーがタイマーの事前に設定された持続時間を超過したときに開始されることができる。
【００５３】
あるいは、デバイスがN個の失敗情報が第１の情報を含まないと決定したとき、手順は終了させられる。本発明の本実施形態の添付図面の例では、N個の失敗情報が第１の情報を含まないときに、手順は終了させられる。
【００５４】
１０２．デバイスが、N個の失敗情報が第１の情報を含むと決定したとき、移動管理手順を開始するための開始条件パラメータを設定する。
【００５５】
任意で、前述の開始条件パラメータは、移動管理手順が開始されるときにデバイスが満たす必要がある条件パラメータであってよい。すなわち、デバイスが条件パラメータを満たすとき、移動管理手順は開始されることができる。例えば、開始条件パラメータは、開始時間パラメータ、移動管理手順を開始するためのパラメータ等を含んでよい。
【００５６】
任意で、デバイスが開始条件パラメータを事前に設定する場合、ステップ１０２における、開始条件パラメータを設定することは、デバイスによって事前に設定された開始条件パラメータを修正することであってよく、その結果、デバイスは、移動管理手順をより速く開始することができ、ここで、「より速く」は、修正されていない開始条件パラメータに基づいて開始される移動管理手順と比較して称される。加えて、ステップ１０２において設定される開始条件パラメータは、新たに生成された開始条件パラメータであってもよい。
【００５７】
１０３．デバイスは、開始条件パラメータに基づいて、移動管理手順を開始する。
【００５８】
任意で、ステップ１０３における、移動管理手順の開始は、前述のコアネットワークエンティティに対して移動管理手順を開始し続けることか、または、別のコアネットワークエンティティに対して移動管理手順を開始することであってよい。
【００５９】
前述のステップを使用することによって、開始された移動管理手順の失敗の数が第１の閾値以上であるとき、および、N個の失敗情報が第１の情報を含むとき、設定された開始条件パラメータに基づいて、移動管理手順が再び開始されてよい。デバイスは、RRC接続が成功裏に確立されないとき、コアネットワークとの通信を確立せず、且つ、RRC接続を確立することにおける失敗はランダムに生じ得るため、移動管理手順は、設定された開始条件パラメータに基づいて、移動管理手順が再び開始されるときに成功してよい。
【００６０】
本明細書において関係するデバイスは、ネットワークにアクセスすることができる任意のデバイス、例えば、UEであってよく、ここで、UEは、タブレットコンピュータ、携帯電話、電子リーダー、リモートコントローラ、パーソナルコンピュータ（英語のフルネーム：Personal Computer，略してPC）、ノートブックコンピュータ、車両搭載デバイス、ウェブテレビジョン、ウェアラブルデバイス等であってよいことは留意されるべきである。あるいは、前述のデバイスは、プロセッサ、例えば、モデム（modem）を有するプロセッサまたはmodem機能を有するプロセッサであってよい。
【００６１】
本実施形態では、デバイスによってコアネットワークエンティティに対して開始される移動管理手順の失敗の数Nが第１の閾値以上であるとき、デバイスは、N個の失敗情報が、無線リソース制御接続を確立することにおける失敗を示すために使用される第１の情報を含むかどうかを決定し、N個の失敗情報が第１の情報を含むと決定したとき、デバイスは、移動管理手順を開始するための開始条件パラメータを設定し、デバイスは、開始条件パラメータに基づいて、移動管理手順を開始する。移動管理手順がタイミング装置の期限が切れるまで開始されない従来技術と比較すると、本発明では、移動管理手順はより速く開始されることができ、その結果、デバイスのネットワークアクセス速度が改善されることができる。
【００６２】
図２を参照すると、図２は、本発明の実施形態に係る、別の移動管理手順開始方法の概略フローチャートである。図２に示されるように、方法は、以下のステップを含む：
【００６３】
２０１．デバイスは、N個の失敗情報を取得し、ここで、N個の失敗情報は、デバイスによってコアネットワークエンティティに対して開始される移動管理手順のNの失敗から取得される失敗情報である。
【００６４】
例えば、ステップ２０１は、デバイスによってコアネットワークエンティティに対して開始される移動管理手順が失敗したとき、この失敗の失敗情報を取得することであってよい。このようにして、ステップ２０１が複数回実行されたとき、すなわち、複数の失敗があるとき、N個の失敗情報が取得されることができる。
【００６５】
任意で、前述の失敗情報は、デバイスによって生成される失敗情報であってよく、または、ネットワーク側デバイス（例えば、基地局）によって送信されるとともにデバイスによって受信されてよい。加えて、デバイスは、失敗情報を使用することによって、失敗タイプを識別してよく、例えば、ランダムアクセスの失敗を識別してよく、または、デバイスは、失敗情報を使用することによって、失敗タイプを識別することができず、例えば未知の失敗を識別することができない。
【００６６】
２０２．デバイスによってコアネットワークエンティティに対して開始される移動管理手順の失敗の数Nが第１の閾値以上であるとき、デバイスは、N個の失敗情報が、無線リソース制御接続を確立することにおける失敗を示すために使用される第１の情報を含むかどうかを決定し、第１の情報を含む場合には、デバイスはステップ２０３を実行し、ここで、第１の閾値は0よりも大きい整数である。
【００６７】
任意で、第１の情報は、
TRANSMISSION_LTE_RRC_UL_DATA_CNF_FAILURE_CONN_REL（アップリンクデータ構成の失敗によって生じる接続リリース）；
TRANSMISSION_LTE_RRC_UL_DATA_CNF_FAILURE_RLF（アップリンクデータ構成の失敗によって生じる無線リンクの失敗）；
CONN_CNF_LTE_RRC_CONN_EST_FAILURE: RRC（接続確立の失敗）；
CONN_CNF_LTE_RRC_CONN_EST_FAILURE_ABORTED: RRC（接続確立の失敗，理由：中止された）；
CONN_CNF_LTE_RRC_CONN_EST_FAILURE_CELL_RESEL: RRC（接続確立の失敗，理由：セル再選択）；
CONN_CNF_LTE_RRC_CONN_EST_FAILURE_CONFIG_FAILURE: RRC（接続確立の失敗，理由：構成エラー）；
CONN_CNF_LTE_RRC_CONN_EST_FAILURE_TIMER_EXPIRED: RRC（接続確立の失敗，理由：期限が切れた）；
CONN_CNF_LTE_RRC_CONN_EST_FAILURE_LINK_FAILURE: RRC（接続確立の失敗，理由：リンクの失敗）；
CONN_CNF_LTE_RRC_CONN_EST_FAILURE_NOT_CAMPED: RRC（接続確立の失敗，理由：キャンプされない）；
CONN_CNF_LTE_RRC_CONN_EST_FAILURE_SI_FAILURE: RRC（接続確立の失敗，理由：システム情報エラー）；および
CONN_CNF_LTE_RRC_CONN_EST_FAILURE_TAI_CHANGED: RRC（接続確立の失敗，理由：TAIが変化した）のうちの１つまたは複数を含む。
【００６８】
RRC接続確立の失敗は、ランダムアクセスの失敗（例えば、CONN_CNF_LTE_RRC_CONN_EST_FAILURE_TIMER_EXPIRED：RRC（接続確立の失敗，理由：期限が切れた）、例えば、ランダムアクセスチャネル（英語のフルネーム：Random Access Channel，略してRACH）接続の失敗を含んでよい。
【００６９】
任意で、デバイスが、N個の失敗情報が、無線リソース制御接続を確立することにおける失敗を示すために使用される第１の情報を含むかどうかを決定することは、
デバイスによって、N個の失敗情報に含まれる第１の情報の数が、第２の閾値以上であるかどうかを決定することを含み、ここで、第２の閾値は、第１の閾値以下である正の整数である。
【００７０】
第１の閾値および第２の閾値は事前に設定されてよい。例えば、第１の閾値は5（または6）に設定され、且つ、第２の閾値は、1以上且つ5（または6）以下になるように設定される。例えば、コアネットワークエンティティに対して開始された移動管理手順の失敗の数が5に達し、且つ、5個の失敗情報の1、2、3、4または5が第１の情報であるとき、ステップ２０３が実行されてよい。
【００７１】
任意で、デバイスが、N個の失敗情報が、無線リソース制御接続を確立することにおける失敗を示すために使用される第１の情報を含むかどうかを決定することは、
デバイスによって、N個の失敗情報の最後の失敗情報が第１の情報であるかどうかを決定することを含んでよい。
【００７２】
例えば、第１の閾値が5である場合、5個目の失敗情報が第１の情報であるとき、ステップ２０３が実行されてよい。
【００７３】
任意で、デバイスによってコアネットワークエンティティに対して開始される移動管理手順の失敗の数が第１の閾値以上であることは、デバイスによってコアネットワークエンティティに対して開始される移動管理手順の連続する失敗の数が第１の閾値以上であること、または、デバイスによってコアネットワークエンティティに対して開始される移動管理手順の失敗の数が指定された時間（例えば、1分または5分）以内に第１の閾値以上であることであってよい。
【００７４】
２０３．デバイスが、N個の失敗情報が第１の情報を含むと決定したとき、デバイスは、移動管理手順を開始するための開始条件パラメータを設定する。
【００７５】
２０４．デバイスは、開始条件パラメータに基づいて、移動管理手順を開始する。
【００７６】
任意で、ステップ２０３は、
デバイスが、N個の失敗情報が第１の情報を含むと決定したとき、タイマーの事前に設定された持続時間を、事前に設定された持続時間よりも短い第１の持続時間に調整するステップを含んでよく、ここで、タイマーは、開始された移動管理手順の失敗の数Nが第１の閾値以上であるときに開始されるように使用される。
【００７７】
ステップ２０４は、
デバイスによって、タイマーが第１の持続時間を超過するときに、移動管理手順を開始するステップを含んでよい。
【００７８】
従って、この実施方式では、N個の失敗情報が第１の情報を含むとき、タイマーの事前に設定された持続時間は短縮されてよく、例えば、元の12分から2分に短縮されてよく、その結果、移動管理手順はより速く開始されることができる。
【００７９】
タイマーは、デバイスによって開始された移動管理手順の失敗の数が第１の閾値以上であるときに開始されるように使用されてよく、例えば、4Gネットワークに接続する機能を有するデバイスにおけるタイマーT3402、または2Gまたは3Gネットワークに接続する機能を有するデバイスにおけるタイマーT3302であってよい。
【００８０】
この実施方式では、任意で、ステップ２０３の前に、方法は、
デバイスが、N個の失敗情報が第１の情報を含むと決定したとき、リスニングによって現在検出されている全てのセルが属する移動管理領域が、デバイスが現在登録されている移動管理領域と同じであるかどうかを決定し、且つ、リスニングによって現在検出されている全てのセルが属する移動管理領域が、デバイスが現在登録されている移動管理領域と同じである場合には、デバイスによって、タイマーの事前に設定された持続時間を、事前に設定された持続時間よりも短い第１の持続時間に調整するステップをトリガするステップをさらに含んでよい。
【００８１】
リスニングによって現在検出されているセルの全てが、デバイスによるリスニングによって現在検出されている全てのセルである。例えば、2Gまたは3Gネットワークに接続する機能を有するデバイスによるリスニングによって検出されている全てのセルが属するルーティング領域が、デバイスが現在配置されているルーティング領域と同じであるとき、タイマーの事前に設定された持続時間は短縮される。
【００８２】
加えて、デバイスが現在登録されている移動管理領域は、デバイスが、attach、TAU、RAUまたはLAU手順を成功裏に実行した後、コアネットワークエンティティによってデバイスに送信される移動管理領域であってよく、例えば、送信される、トラッキング領域識別（Tracking Areas Identity，TAI）、ルーティング領域識別（Routing Area Identity，RAI）または位置領域識別（Location Area Identity，LAI）によって識別される領域であってよい。
【００８３】
任意で、移動管理領域は、トラッキング領域、ルーティング領域または位置領域であってよい。
【００８４】
加えて、この実施方式では、ステップ２０４は、デバイスが現在登録されている移動管理領域の基地局を使用することによって、コアネットワークエンティティに対して移動管理手順を開始するステップであってよい。従って、この実施方式では、デバイスが現在配置されている移動管理領域が変更されないとき、移動管理手順は、元の移動管理領域の基地局を使用することによって、コアネットワークエンティティに対して開始され続けることができる。加えて、デバイスが現在登録されている移動管理領域の基地局は、移動管理領域における任意のセルの基地局であってよい。
【００８５】
この実施方式では、任意で、ステップ２０３の前に、方法は、
デバイスが、N個の失敗情報が第１の情報を含むと決定したとき、リスニングによって現在検出されている全てのセルが属する移動管理領域が、デバイスが現在登録されている移動管理領域のリスト内にあるかどうかを決定し、且つ、リスニングによって現在検出されている全てのセルが属する移動管理領域が、デバイスが現在登録されている移動管理領域のリスト内にある場合には、デバイスによって、タイマーの事前に設定された持続時間を、事前に設定された持続時間よりも短い第１の持続時間に調整するステップをトリガするステップをさらに含んでよい。
【００８６】
デバイスが現在登録されている移動管理領域のリストは、デバイスがattachまたはTAU手順を成功裏に実行した後、コアネットワークエンティティによってデバイスに送信されるTAIリスト等の移動管理領域のリストである。加えて、移動管理領域のリストは、１つの移動管理領域または複数の移動管理領域の組合せである。
【００８７】
加えて、この実施方式では、ステップ２０１は、デバイスによって、移動管理領域のリストにおける移動管理領域の基地局を使用することによって、コアネットワークエンティティに対して移動管理手順を開始することであってよく、且つ、ステップ２０４はまた、移動管理領域のリストにおける移動管理領域の基地局を使用することによって、コアネットワークエンティティに対して移動管理手順を開始することであってもよい。
【００８８】
任意で、ステップ２０３は、
デバイスによって、デバイスが現在登録されている第１の移動管理領域において、移動管理手順の開始を禁止するために使用される開始条件パラメータを設定するステップか、または、
デバイスによって、デバイスが現在登録されている移動管理領域のリストにおける移動管理領域において、移動管理手順の開始を禁止するために使用される開始条件パラメータを設定するステップを含んでよい。
【００８９】
ステップ２０４は、
デバイスによって、開始条件パラメータに従って、セル再選択手順を実行して、デバイスが第２の移動管理領域に属するセルを選択したとき、コアネットワークエンティティに対して移動管理手順を開始するステップを含んでよく、ここで、
第２の移動管理領域は、移動管理手順の開始が許可されている移動管理領域である。
【００９０】
本実施形態では、ステップ２０４において、デバイスが、コアネットワークエンティティに対して移動管理手順を開始することは、第２の移動管理領域に属する前述の選択されたセルの基地局を使用することによって、コアネットワークエンティティに対して移動管理手順を開始することであってよいことは留意されるべきである。
【００９１】
このようにして、第１の移動管理領域における移動管理手順の開始を禁止するための開始条件が設定されることができ、且つ、移動管理領域のリストにおける移動管理領域において、移動管理手順の開始を禁止するための開始条件が設定されることができる。換言すると、デバイスによって移動管理手順を開始するための開始条件は、移動管理手順の開始が禁止されている移動管理領域に対して移動管理手順を開始することをスキップすることであってよい。
【００９２】
この実施方式では、任意で、開始条件パラメータに従って、セル再選択手順を実行するステップは、
デバイスによって、条件パラメータにおいて記録されている移動管理領域ではない移動管理領域に属するセルを、リスニングによって検出されたセルから選択して、第２の移動管理領域に属するセルとしてそのセルを使用するステップを含んでよい。加えて、条件パラメータにおいて記録されている移動管理領域ではない移動管理領域に属する複数のセルがリスニングによって検出されたとき、１つのセルが複数のセルから選択されてよい。例えば、その基準信号が最も高い信号強度を有するセルが選択される。
【００９３】
この実施方式では、任意で、ステップ２０３は、
デバイスによって、リスニングによって現在検出されているセル内にターゲットセルが存在するかどうかを決定し、且つ、リスニングによって現在検出されているセル内にターゲットセルが存在する場合には、第１の移動管理領域において、移動管理手順の開始を禁止するために使用される開始条件パラメータを設定するステップであって、ここで、ターゲットセルが属する移動管理領域は第１の移動管理領域ではなく、且つ、ターゲットセルはセル選択条件を満たす、ステップか、または、
デバイスによって、リスニングによって現在検出されているセル内にターゲットセルが存在するかどうかを決定し、且つ、リスニングによって現在検出されているセル内にターゲットセルが存在する場合には、移動管理領域のリストにおける移動管理領域において、移動管理手順の開始を禁止するために使用される開始条件パラメータを設定するステップであって、ここで、ターゲットセルが属する移動管理領域は、デバイスが現在登録されている移動管理領域のリスト内になく、且つ、ターゲットセルはセル選択条件を満たす、ステップを含んでよい。
【００９４】
セル選択条件は、デバイスによるリスニングによって検出されるセルの基準信号の信号強度が特定の閾値よりも大きいことであってよい。
【００９５】
加えて、ステップ２０４は、ターゲットセルの基地局を使用することによって、コアネットワークエンティティに対して、移動管理手順を開始するステップであってよく、または、第２の移動管理領域に属するセルはターゲットセルであると理解されてよい。確実に、本実施形態では、移動管理手順はまた、第２の移動管理領域に属するセルの基地局を使用することによってコアネットワークエンティティに対して開始されてもよい。
【００９６】
この実施方式では、デバイスが現在登録されている移動管理領域ではない移動管理領域に属するセルがデバイスによるリスニングによって検出されるセル内に存在するとき、デバイスが第２の移動管理領域に属するセルを選択するときに、コアネットワークエンティティに対して移動管理手順が開始されることができる。デバイスによって第１の移動管理領域に対して開始される移動管理手順が失敗するため、第２の移動管理領域を使用することによって、デバイスによって開始される移動管理手順は成功してよい。
【００９７】
任意で、ステップ２０３は、
デバイスによって、タイマーの事前に設定された持続時間を、事前に設定された持続時間よりも短い第１の持続時間に調整して、デバイスが現在登録されている第１の移動管理領域において、移動管理手順の開始を禁止するために使用される開始条件パラメータを設定するステップであって、ここで、タイマーは、開始された移動管理手順の失敗の数Nが第１の閾値以上であるときに開始されるように使用される、ステップか、または、
デバイスによって、タイマーの事前に設定された持続時間を、事前に設定された持続時間よりも短い第１の持続時間に調整して、デバイスが現在登録されている移動管理領域のリストにおける移動管理領域において、移動管理手順の開始を禁止するために使用される開始条件パラメータを設定するステップであって、ここで、タイマーは、開始された移動管理手順の失敗の数Nが第１の閾値以上であるときに開始されるように使用される、ステップを含んでよい。
【００９８】
ステップ２０４は、
デバイスが第２の移動管理領域に属するセルを選択したとき、デバイスによって、タイマーを停止して、コアネットワークエンティティに対して、移動管理手順を開始するステップを含んでよく、ここで、
第２の移動管理領域は、移動管理手順の開始が許可されている移動管理領域である。
【００９９】
調整するステップおよび設定するステップの操作を実行する順序は限定されない。
【０１００】
同様に、この実施方式では、任意で、ステップ２０３は、
デバイスによって、リスニングによって現在検出されているセル内にターゲットセルが存在するかどうかを決定し、且つ、リスニングによって現在検出されているセル内にターゲットセルが存在する場合には、タイマーの事前に設定された持続時間を、事前に設定された持続時間よりも短い第１の持続時間に調整して、デバイスが現在登録されている第１の移動管理領域において、移動管理手順の開始を禁止するために使用される開始条件パラメータを設定するステップであって、ここで、ターゲットセルが属する移動管理領域は第１の移動管理領域ではなく、且つ、ターゲットセルはセル選択条件を満たす、ステップか、または、
デバイスによって、リスニングによって現在検出されているセル内にターゲットセルが存在するかどうかを決定し、且つ、リスニングによって現在検出されているセル内にターゲットセルが存在する場合には、タイマーの事前に設定された持続時間を、事前に設定された持続時間よりも短い第１の持続時間に調整して、デバイスが現在登録されている移動管理領域のリストにおける移動管理領域において、移動管理手順の開始を禁止するために使用される開始条件パラメータを設定するステップであって、ここで、ターゲットセルが属する移動管理領域は、デバイスが現在登録されている移動管理領域のリスト内になく、且つ、ターゲットセルはセル選択条件を満たす、ステップを含んでよい。
【０１０１】
任意で、前述の実施方式では、デバイスによって、デバイスが現在登録されている第１の移動管理領域において、移動管理手順の開始を禁止するために使用される開始条件パラメータを設定するステップは、
デバイスによって、デバイスが現在登録されている第１の移動管理領域の識別情報を禁止リストに追加するステップを含んでよく、ここで、
禁止リストは、移動管理手順の開始が禁止されている移動管理領域を記録するために使用され、且つ、第２の移動管理領域の識別情報は禁止リスト内に記録されない。
【０１０２】
例えば、2Gまたは3Gネットワークに接続する機能を有するデバイスについて、禁止リストは禁止ルートのリストであってよく、且つ、第１の移動管理領域の識別情報は、第１のルーティング領域またはルーティング領域のルーティング領域識別であってよい。
【０１０３】
任意で、前述の実施方式では、デバイスによって、デバイスが現在登録されている移動管理領域のリストにおける移動管理領域において、移動管理手順の開始を禁止するために使用される開始条件パラメータを設定するステップは、
デバイスによって、デバイスが現在登録されている移動管理領域のリストにおける移動管理領域の識別情報を禁止リストに追加するステップを含んでよく、ここで、
禁止リストは、移動管理手順の開始が禁止されている移動管理領域を記録するために使用され、且つ、第２の移動管理領域の識別情報は、禁止リスト内に記録されない。
【０１０４】
具体的には、移動管理領域のリストにおける全ての移動管理領域の識別情報は、禁止リストに追加される。
【０１０５】
任意で、禁止リストは事前にデバイスによって生成されてよく、または、事前に、コアネットワークエンティティによって送信されるとともにデバイスによって受信されてよい。
【０１０６】
例えば、4Gネットワークに接続する機能を有するデバイスについて、禁止リストは、禁止トラッキング領域のリストであってよく、且つ、識別情報は、トラッキング領域識別（Tracking Area Identity，TAI）またはトラッキング領域コード（Tracking AreaCode，TAC）であってよい。例えば、開始条件パラメータに従って、セル再選択手順を実行することは、非アクセス層（Non Access Stratum，NAS）によって、RRC層に禁止リストを送信して、RRC層によって、禁止リストに従って、セル再選択手順をトリガすることであってよい。
【０１０７】
この実施方式では、任意で、ステップ２０４の後、方法は、
第１の移動管理領域の識別情報を禁止リストから削除するステップか、または、
移動管理領域のリストにおける移動管理領域の識別情報を禁止リストから削除するステップをさらに含んでよい。
【０１０８】
具体的には、デバイスは、第１の移動管理領域の識別情報が禁止リストに追加されたときに、新しいリストを生成してよく、ここで、リストは第１の移動管理領域の識別情報を記録し、または、デバイスは、デバイスが現在登録されている移動管理領域のリストにおける移動管理領域の識別情報が禁止リストに追加されたときに、新しいリストを生成し、ここで、リストは、移動管理領域のリストにおける移動管理領域の識別情報を記録する。このようにして、ステップ２０４が実行された後、禁止リスト内にあるとともに新しいリスト内の識別情報と同じである識別情報は削除されてよく、または、新しいリストは削除されてよい。
【０１０９】
従って、移動管理手順は、第１の移動管理領域の基地局または移動管理領域のリストにおける移動管理領域の基地局を使用することによって、コアネットワークエンティティに対してその後再び開始されることができる。
【０１１０】
本実施形態では、複数の任意の実施方式は、図１に示される実施形態に基づいて追加されるとともに、デバイスのネットワークアクセス速度を改善することができる。加えて、本実施形態で説明される実施方式はまた、図１に示される実施形態に適用されてもよい。
【０１１１】
以下では、本発明の装置の実施形態を説明する。本発明の装置の実施形態は、本発明の方法の実施形態１から２で実施される方法を実行するために使用される。説明の容易さのために、本発明の本実施形態に関する一部のみが示される。開示されない技術的な詳細については、本発明の実施形態１および実施形態２を参照されたい。
【０１１２】
図３を参照すると、図３は、本発明の実施形態に係る、デバイスの概略構成図である。図３に示されるように、デバイスは、決定ユニット３１、設定ユニット３２および開始ユニット３３を含む。
【０１１３】
決定ユニット３１は、デバイスによってコアネットワークエンティティに対して開始される移動管理手順の失敗の数Nが第１の閾値以上であるとき、N個の失敗情報が、無線リソース制御接続を確立することにおける失敗を示すために使用される第１の情報を含むかどうかを決定するように構成され、ここで、第１の閾値は0よりも大きい整数であり、Nは0よりも大きい整数であり、N個の失敗情報は、デバイスによってコアネットワークエンティティに対して開始される移動管理手順のNの失敗から取得される失敗情報である。
【０１１４】
任意で、デバイスは、開始された移動管理手順の失敗の数Nが第１の閾値以上であるときに開始されるように使用されるタイマーを事前に設定する。このようにして、決定ユニット３１がN個の失敗情報が第１の情報を含まないと決定したとき、移動管理手順は、タイマーがタイマーの事前に設定された持続時間を超過したときに開始されることができる。あるいは、決定ユニット３１がN個の失敗情報が第１の情報を含まないと決定したとき、手順は終了させられる。
【０１１５】
設定ユニット３２は、決定ユニット３１が、N個の失敗情報が第１の情報を含むと決定したとき、移動管理手順を開始するための開始条件パラメータを設定するように構成される。
【０１１６】
開始ユニット３３は、開始条件パラメータに基づいて、移動管理手順を開始するように構成される。
【０１１７】
任意で、デバイスは、ネットワークにアクセスすることができる任意のデバイス、例えば、UEであってよく、ここで、UEは、タブレットコンピュータ、携帯電話、電子リーダー、リモートコントローラ、PC、ノートブックコンピュータ、車両搭載デバイス、ウェブテレビジョンまたはウェアラブルデバイス等のデバイスであってよい。あるいは、前述のデバイスは、プロセッサ、例えば、モデム（modem）を有するプロセッサまたはmodem機能を有するプロセッサであってよい。
【０１１８】
本実施形態では、デバイスによってコアネットワークエンティティに対して開始される移動管理手順の失敗の数Nが第１の閾値以上であるとき、デバイスは、N個の失敗情報が、無線リソース制御接続を確立することにおける失敗を示すために使用される第１の情報を含むかどうかを決定し、N個の失敗情報が第１の情報を含むと決定したとき、デバイスは、移動管理手順を開始するための開始条件パラメータを設定し、デバイスは、開始条件パラメータに基づいて、移動管理手順を開始する。移動管理手順がタイミング装置の期限が切れるまで開始されない従来技術と比較すると、本発明では、移動管理手順はより速く開始されることができ、その結果、デバイスのネットワークアクセス速度が改善されることができる。
【０１１９】
図４を参照すると、図４は、本発明の実施形態に係る、別のデバイスの概略構成図である。図４に示されるように、デバイスは、取得ユニット３１、決定ユニット３２、設定ユニット３３および開始ユニット３４を含む。
【０１２０】
取得ユニット３１は、N個の失敗情報を取得するように構成され、ここで、N個の失敗情報は、デバイスによってコアネットワークエンティティに対して開始される移動管理手順のNの失敗から取得される失敗情報である。
【０１２１】
例えば、デバイスによってコアネットワークエンティティに対して開始される移動管理手順が失敗したとき、取得ユニット３１はこの失敗の失敗情報を取得してよい。このようにして、取得ユニット３１は、N個の失敗情報を取得することができる。
【０１２２】
決定ユニット３２は、デバイスによってコアネットワークエンティティに対して開始される移動管理手順の失敗の数Nが第１の閾値以上であるとき、N個の失敗情報が、無線リソース制御接続を確立することにおける失敗を示すために使用される第１の情報を含むかどうかを決定するように構成され、ここで、第１の閾値は0よりも大きい整数である。
【０１２３】
設定ユニット３３は、決定ユニット３２が、N個の失敗情報が第１の情報を含むと決定したとき、移動管理手順を開始するための開始条件パラメータを設定するように構成される。
【０１２４】
開始ユニット３４は、開始条件パラメータに基づいて、移動管理手順を開始するように構成される。
【０１２５】
任意で、決定ユニット３２は、具体的には、デバイスによってコアネットワークエンティティに対して開始される移動管理手順の失敗の数Nが第１の閾値以上であるとき、N個の失敗情報に含まれる第１の情報の数が、第２の閾値以上であるかどうかを決定するように構成され、ここで、第２の閾値は、第１の閾値よりも大きくない正の整数である。
【０１２６】
任意で、決定ユニット３２は、具体的には、デバイスによってコアネットワークエンティティに対して開始される移動管理手順の失敗の数Nが第１の閾値以上であるとき、N個の失敗情報の最後の失敗情報が第１の情報であるかどうかを決定するように構成される。
【０１２７】
任意で、設定ユニット３３は、具体的には、決定ユニット３２が、N個の失敗情報が第１の情報を含むと決定したとき、タイマーの事前に設定された持続時間を、事前に設定された持続時間よりも短い第１の持続時間に調整するように構成され、ここで、タイマーは、開始された移動管理手順の失敗の数Nが第１の閾値以上であるときに開始されるように使用され、且つ、
開始ユニット３４は、具体的には、タイマーが第１の持続時間を超過するときに、移動管理手順を開始するように構成される。
【０１２８】
従って、この実施方式では、N個の失敗情報が第１の情報を含むとき、タイマーの事前に設定された持続時間は短縮されてよく、例えば、元の12分から2分に短縮されてよく、その結果、移動管理手順はより速く開始されることができる。
【０１２９】
この実施方式では、任意で、図５に示されるように、デバイスは、
決定ユニット３２が、N個の失敗情報が第１の情報を含むと決定したとき、リスニングによって現在検出されている全てのセルが属する移動管理領域が、デバイスが現在登録されている移動管理領域と同じであるかどうかを決定し、且つ、決定結果が、リスニングによって現在検出されている全てのセルが属する移動管理領域が、デバイスが現在登録されている移動管理領域と同じであることである場合には、タイマーの事前に設定された持続時間を、事前に設定された持続時間よりも短い第１の持続時間に調整するように設定ユニット３３をトリガするように構成される第１の判定ユニット３５をさらに含んでよい。
【０１３０】
加えて、この実施方式では、開始ユニット３４は、デバイスによって現在登録されている移動管理領域の基地局を使用することによって、コアネットワークエンティティに対して移動管理手順を開始してよい。従って、この実施方式では、デバイスが現在配置されている移動管理領域が変更されないとき、移動管理手順は、デバイスが現在登録されている元の移動管理領域の基地局を使用することによって、コアネットワークエンティティに対して開始され続けることができる。
【０１３１】
この実施方式では、任意で、図６に示されるように、デバイスは、
決定ユニット３２が、N個の失敗情報が第１の情報を含むと決定したとき、リスニングによって現在検出されている全てのセルが属する移動管理領域が、デバイスが現在登録されている移動管理領域のリスト内にあるかどうかを決定し、且つ、決定結果が、リスニングによって現在検出されている全てのセルが属する移動管理領域が、デバイスが現在登録されている移動管理領域のリスト内にあることである場合には、タイマーの事前に設定された持続時間を、事前に設定された持続時間よりも短い第１の持続時間に調整するように設定ユニット３３をトリガするように構成される第２の判定ユニット３６をさらに含んでよい。
【０１３２】
任意で、設定ユニット３３は、具体的には、決定ユニットが、N個の失敗情報が第１の情報を含むと決定したとき、デバイスが現在登録されている第１の移動管理領域において、移動管理手順の開始を禁止するために使用される開始条件パラメータを設定するように構成されるか、または、設定ユニット３３は、具体的には、決定ユニットが、N個の失敗情報が第１の情報を含むと決定したとき、デバイスが現在登録されている移動管理領域のリストにおける移動管理領域において、移動管理手順の開始を禁止するために使用される開始条件パラメータを設定するように構成される。
【０１３３】
開始ユニット３４は、具体的には、開始条件パラメータに従って、セル再選択手順を実行して、デバイスが第２の移動管理領域に属するセルを選択したとき、コアネットワークエンティティに対して移動管理手順を開始するように構成され、ここで、第２の移動管理領域は、移動管理手順の開始が許可されている移動管理領域である。
【０１３４】
この実施方式では、任意で、設定ユニット３３は、決定ユニット３２が、N個の失敗情報が第１の情報を含むと決定したとき、リスニングによって現在検出されているセル内にターゲットセルが存在するかどうかを決定し、且つ、リスニングによって現在検出されているセル内にターゲットセルが存在する場合には、第１の移動管理領域において、移動管理手順の開始を禁止するために使用される開始条件パラメータを設定するようにさらに構成され、ここで、ターゲットセルが属する移動管理領域は第１の移動管理領域ではなく、且つ、ターゲットセルはセル選択条件を満たし、または、
設定ユニット３３は、決定ユニット３２が、N個の失敗情報が第１の情報を含むと決定したとき、リスニングによって現在検出されているセル内にターゲットセルが存在するかどうかを決定し、且つ、リスニングによって現在検出されているセル内にターゲットセルが存在する場合には、移動管理領域のリストにおける移動管理領域において、移動管理手順の開始を禁止するために使用される開始条件パラメータを設定するようにさらに構成され、ここで、ターゲットセルが属する移動管理領域は、デバイスが現在登録されている移動管理領域のリスト内になく、且つ、ターゲットセルはセル選択条件を満たす。
【０１３５】
この実施方式では、デバイスが現在登録されている移動管理領域ではない移動管理領域に属するセルがデバイスによるリスニングによって検出されるセル内に存在するとき、第２の移動管理領域に属するセルが選択されるときに、コアネットワークエンティティに対して移動管理手順が開始されることができる。デバイスによって第１の移動管理領域に対して開始される移動管理手順が失敗するため、第２の移動管理領域を使用することによって、デバイスによって開始される移動管理手順は成功してよい。
【０１３６】
任意で、設定ユニット３３は、具体的には、決定ユニット３２が、N個の失敗情報が第１の情報を含むと決定したとき、タイマーの事前に設定された持続時間を、事前に設定された持続時間よりも短い第１の持続時間に調整して、デバイスが現在登録されている第１の移動管理領域において、移動管理手順の開始を禁止するために使用される開始条件パラメータを設定するように構成され、ここで、タイマーは、開始された移動管理手順の失敗の数Nが第１の閾値以上であるときに開始されるように使用され、または、設定ユニット３３は、具体的には、決定ユニット３２が、N個の失敗情報が第１の情報を含むと決定したとき、タイマーの事前に設定された持続時間を、事前に設定された持続時間よりも短い第１の持続時間に調整して、デバイスが現在登録されている移動管理領域のリストにおける移動管理領域において、移動管理手順の開始を禁止するために使用される開始条件パラメータを設定するように構成され、ここで、タイマーは、開始された移動管理手順の失敗の数Nが第１の閾値以上であるときに開始されるように使用され、且つ、
開始ユニット３４は、具体的には、デバイスが第２の移動管理領域に属するセルを選択したとき、タイマーを停止して、コアネットワークエンティティに対して、移動管理手順を開始するように構成され、ここで、第２の移動管理領域は、移動管理手順の開始が許可されている移動管理領域である。
【０１３７】
加えて、この実施方式では、タイマーの期限が切れたときに、第２の移動管理領域に属するセルが選択されない場合、移動管理手順は、第１の移動管理領域の基地局を使用することによって、コアネットワークエンティティに対して開始されることができる。
【０１３８】
任意で、設定ユニット３３は、決定ユニット３２が、N個の失敗情報が第１の情報を含むと決定したとき、デバイスが現在登録されている第１の移動管理領域の識別情報を禁止リストに追加するようにさらに構成され、または、設定ユニット３３は、決定ユニット３２が、N個の失敗情報が第１の情報を含むと決定したとき、デバイスが現在登録されている移動管理領域のリストにおける移動管理領域の識別情報を禁止リストに追加するようにさらに構成される。
【０１３９】
禁止リストは、移動管理手順の開始が禁止されている移動管理領域を記録するために使用され、且つ、第２の移動管理領域の識別情報は、禁止リスト内に記録されない。
【０１４０】
この実施方式では、任意で、図７に示されるように、装置は、
第１の移動管理領域の識別情報を禁止リストから削除するように構成されるか、または、移動管理領域のリストにおける移動管理領域の識別情報を禁止リストから削除するように構成される削除ユニット３７をさらに含んでよい。
【０１４１】
本実施形態では、複数の任意の実施方式は、図３に示される実施形態に基づいて追加されるとともに、デバイスのネットワークアクセス速度を改善することができる。加えて、本実施形態で説明される実施方式はまた、図３に示される実施形態に適用されてもよい。
【０１４２】
図８を参照すると、図８は、本発明の実施形態に係る、別のデバイスの概略構成図である。図８に示されるように、デバイスは、プロセッサ８１、ネットワークインタフェース８２、メモリ８３および通信バス８４を含む。通信バス８４は、プロセッサ８１、ネットワークインタフェース８２およびメモリ８３の間の接続および通信を実施するように構成される。プロセッサ８１は、メモリ８３内に記憶されるプログラム８３１を実行するように構成される。例えば、デバイスは、少なくとも１つのプロセッサ８１（例えば、CPU）、少なくとも１つのネットワークインタフェース８２または別の通信インタフェース、メモリ８３および装置間の接続および通信を実施するように構成される少なくとも１つの通信バス８４を含んでよい。プロセッサ８１は、コンピュータプログラム等のメモリ８３内に記憶される実行可能なモジュールを実行するように構成される。メモリ８３は、高速ランダムアクセスメモリ（RAM，Random Access Memory）を含んでよく、または、少なくとも１つの磁気ディスクメモリ等の不揮発性メモリ（non-volatile memory）をさらに含んでよい。システムゲートウェイと少なくとも１つの他のネットワーク要素との間の通信接続は、少なくとも１つのネットワークインタフェース８２（有線であっても無線であってもよい）を使用することによって実施され、例えば、インターネット、ワイドエリアネットワーク、ローカルエリアネットワークまたはメトロポリタンエリアネットワークが使用されてよい。
【０１４３】
いくつかの実施方式では、プロセッサ８３はプログラム８３１を記憶し、且つ、プログラム８３１はプロセッサ８１によって実行されてよいとともに、プログラムは、
デバイスによってコアネットワークエンティティに対して開始される移動管理手順の失敗の数Nが第１の閾値以上であるとき、N個の失敗情報が、無線リソース制御接続を確立することにおける失敗を示すために使用される第１の情報を含むかどうかを決定することであって、ここで、第１の閾値は0よりも大きい整数であり、Nは0よりも大きい整数であり、N個の失敗情報は、デバイスによってコアネットワークエンティティに対して開始される移動管理手順のNの失敗から取得される失敗情報である、決定することと、
N個の失敗情報が第１の情報を含むとき、移動管理手順を開始するための開始条件パラメータを設定することと、
開始条件パラメータに基づいて、移動管理手順を開始することとを含む。
【０１４４】
別の実施形態では、N個の失敗情報が、無線リソース制御接続を確立することにおける失敗を示すために使用される第１の情報を含むかどうかを決定することの、プロセッサ８１によって実行されるプログラムは、
N個の失敗情報に含まれる第１の情報の数が、第２の閾値以上であるかどうかを決定することであって、ここで、第２の閾値は、第１の閾値以下である正の整数である、決定することか、または、
N個の失敗情報の最後の失敗情報が第１の情報であるかどうかを決定することを含んでよい。
【０１４５】
別の実施形態では、移動管理手順を開始するための開始条件パラメータを設定することの、プロセッサ８１によって実行されるプログラムは、
タイマーの事前に設定された持続時間を、事前に設定された持続時間よりも短い第１の持続時間に調整することであって、ここで、タイマーは、開始された移動管理手順の失敗の数Nが第１の閾値以上であるときに開始されるように使用される、調整することを含んでよく、且つ、
開始条件パラメータに基づいて、移動管理手順を開始することの、プロセッサ８１によって実行されるプログラムは、
タイマーが第１の持続時間を超過するときに、移動管理手順を開始することを含んでよい。
【０１４６】
この実施方式では、任意で、プロセッサ８１によって実行されるプログラムは、
N個の失敗情報が第１の情報を含むとき、リスニングによって現在検出されている全てのセルが属する移動管理領域が、デバイスが現在登録されている移動管理領域と同じであるかどうかを決定し、且つ、リスニングによって現在検出されている全てのセルが属する移動管理領域が、デバイスが現在登録されている移動管理領域と同じである場合には、タイマーの事前に設定された持続時間を、事前に設定された持続時間よりも短い第１の持続時間に調整することのプログラムをトリガすることか、または、
N個の失敗情報が第１の情報を含むとき、リスニングによって現在検出されている全てのセルが属する移動管理領域が、デバイスが現在登録されている移動管理領域のリスト内にあるかどうかを決定し、且つ、リスニングによって現在検出されている全てのセルが属する移動管理領域が、デバイスが現在登録されている移動管理領域のリスト内にある場合には、タイマーの事前に設定された持続時間を、事前に設定された持続時間よりも短い第１の持続時間に調整することのプログラムをトリガすることをさらに含んでよい。
【０１４７】
別の実施形態では、移動管理手順を開始するための開始条件パラメータを設定することの、プロセッサ８１によって実行されるプログラムは、
デバイスが現在登録されている第１の移動管理領域において、移動管理手順の開始を禁止するために使用される開始条件パラメータを設定することか、または、
デバイスが現在登録されている移動管理領域のリストにおける移動管理領域において、移動管理手順の開始を禁止するために使用される開始条件パラメータを設定することを含んでよく、且つ、
開始条件パラメータに基づいて、移動管理手順を開始することの、プロセッサ８１によって実行されるプログラムは、
開始条件パラメータに従って、セル再選択手順を実行して、デバイスが第２の移動管理領域に属するセルを選択したとき、コアネットワークエンティティに対して移動管理手順を開始することを含んでよく、ここで、
第２の移動管理領域は、移動管理手順の開始が許可されている移動管理領域である。
【０１４８】
この実施方式では、任意で、デバイスが現在登録されている第１の移動管理領域において、移動管理手順の開始を禁止するために使用される開始条件パラメータを設定することの、プロセッサ８１によって実行されるプログラムは、
リスニングによって現在検出されているセル内にターゲットセルが存在するかどうかを決定し、且つ、リスニングによって現在検出されているセル内にターゲットセルが存在する場合には、第１の移動管理領域において、移動管理手順の開始を禁止するために使用される開始条件パラメータを設定することであって、ここで、ターゲットセルが属する移動管理領域は第１の移動管理領域ではなく、且つ、ターゲットセルはセル選択条件を満たす、設定することを含んでよい。
【０１４９】
この実施方式では、任意で、デバイスが現在登録されている移動管理領域のリストにおける移動管理領域において、移動管理手順の開始を禁止するために使用される開始条件パラメータを設定することの、プロセッサ８１によって実行されるプログラムは、
リスニングによって現在検出されているセル内にターゲットセルが存在するかどうかを決定し、且つ、リスニングによって現在検出されているセル内にターゲットセルが存在する場合には、移動管理領域のリストにおける移動管理領域において、移動管理手順の開始を禁止するために使用される開始条件パラメータを設定することであって、ここで、ターゲットセルが属する移動管理領域は、デバイスが現在登録されている移動管理領域のリスト内になく、且つ、ターゲットセルはセル選択条件を満たす、設定することを含んでよい。
【０１５０】
別の実施形態では、移動管理手順を開始するための開始条件パラメータを設定することの、プロセッサ８１によって実行されるプログラムは、
タイマーの事前に設定された持続時間を、事前に設定された持続時間よりも短い第１の持続時間に調整して、デバイスが現在登録されている第１の移動管理領域において、移動管理手順の開始を禁止するために使用される開始条件パラメータを設定することであって、ここで、タイマーは、開始された移動管理手順の失敗の数Nが第１の閾値以上であるときに開始されるように使用される、設定することか、または、
タイマーの事前に設定された持続時間を、事前に設定された持続時間よりも短い第１の持続時間に調整して、デバイスが現在登録されている移動管理領域のリストにおける移動管理領域において、移動管理手順の開始を禁止するために使用される開始条件パラメータを設定することであって、ここで、タイマーは、開始された移動管理手順の失敗の数Nが第１の閾値以上であるときに開始されるように使用される、設定することを含んでよく、且つ、
開始条件パラメータに基づいて、移動管理手順を開始することの、プロセッサ８１によって実行されるプログラムは、
開始条件パラメータに従って、セル再選択手順を実行することと、
第２の移動管理領域に属するセルが選択されたとき、タイマーを停止して、コアネットワークエンティティに対して、移動管理手順を開始することとを含んでよく、ここで、
第２の移動管理領域は、移動管理手順の開始が許可されている移動管理領域である。
【０１５１】
任意で、前述の実施形態では、デバイスが現在登録されている第１の移動管理領域において、移動管理手順の開始を禁止するために使用される開始条件パラメータを設定することの、プロセッサ８１によって実行されるプログラムは、
デバイスが現在登録されている第１の移動管理領域の識別情報を禁止リストに追加することを含んでよく、ここで、
禁止リストは、移動管理手順の開始が禁止されている移動管理領域を記録するために使用され、且つ、第２の移動管理領域の識別情報は禁止リスト内に記録されない。
【０１５２】
任意で、前述の実施形態では、デバイスが現在登録されている移動管理領域のリストにおける移動管理領域において、移動管理手順の開始を禁止するために使用される開始条件パラメータを設定することの、プロセッサ８１によって実行されるプログラムは、
デバイスが現在登録されている移動管理領域のリストにおける移動管理領域の識別情報を禁止リストに追加することを含んでよく、ここで、
禁止リストは、移動管理手順の開始が禁止されている移動管理領域を記録するために使用され、且つ、第２の移動管理領域の識別情報は、禁止リスト内に記録されない。
【０１５３】
この実施方式では、任意で、プロセッサ８１によって実行されるプログラムは、
第１の移動管理領域の識別情報を禁止リストから削除することか、または、
移動管理領域のリストにおける移動管理領域の識別情報を禁止リストから削除することをさらに含んでよい。
【０１５４】
前述の技術的解決手段では、デバイスによってコアネットワークエンティティに対して開始される移動管理手順の失敗の数Nが第１の閾値以上であるとき、デバイスは、N個の失敗情報が、無線リソース制御接続を確立することにおける失敗を示すために使用される第１の情報を含むかどうかを決定し、N個の失敗情報が第１の情報を含むと決定したとき、デバイスは、移動管理手順を開始するための開始条件パラメータを設定し、デバイスは、開始条件パラメータに基づいて、移動管理手順を開始する。移動管理手順がタイミング装置の期限が切れるまで開始されない従来技術と比較すると、本発明では、移動管理手順はより速く開始されることができ、その結果、デバイスのネットワークアクセス速度が改善されることができる。
【０１５５】
当業者は、実施形態における方法のプロセスの全てまたはいくつかが、関連するハードウェアに命令するコンピュータプログラムによって実施されてよいことを理解することができる。プログラムは、コンピュータ可読記憶媒体内に記憶されてよい。プログラムが動作するとき、実施形態における方法のプロセスは実行される。前述の記憶媒体は、磁気ディスク、光ディスク、読出し専用メモリ（Read-Only Memory，ROM）またはランダムアクセスメモリ（Random Access Memory，略してRAM）を含んでよい。
【０１５６】
上で開示されることは、単に、本発明の例示的な実施形態であるとともに、確実に、本発明の保護範囲を限定するように意図されない。従って、本発明の請求項に従って行われる均等的変化は、本発明の範囲に包含されるべきである。
【符号の説明】
【０１５７】
31  取得ユニット
32  決定ユニット
33  設定ユニット
34  開始ユニット
35  第１の判定ユニット
36  第２の判定ユニット
37  削除ユニット
81  プロセッサ
82  ネットワークインタフェース
83  メモリ
831  プログラム
【図１】
0006552129.tif 000002
【図２】
0006552129.tif 000003
【図３】
0006552129.tif 000004
【図４】
0006552129.tif 000005
【図５】
0006552129.tif 000006
【図６】
0006552129.tif 000007
【図７】
0006552129.tif 000008
【図８】
0006552129.tif 000009